(57)【要約】  【課題】  圧縮機再起動時にファンモータが最高回転数で起動することにより、室内ファンモータの回転数が上昇することとなり騒音が大きくなることを解決し、室内機近傍の水漏れや異臭をも抑制する空気調和機を提供することを目的とする。  【解決手段】  室内ファンモータ５と、この室内ファンモータ５を制御する制御部６と、サーモオフ状態から再サーモオンする際の検知手段とにより室内ファンモータ５の回転速度を制御するものである。【選択図】  図１
2005055140.tif 000002
【特許請求の範囲】
【請求項１】
目標とする居室内の温度を設定する温度設定部と、居室内に設置される室内機に設けられたファンを駆動する室内ファンモータと、居室内の温度を検出する室内温度検出部と、前記温度設定部と前記室内温度検出部から少なくとも前記室内ファンモータの回転数を制御する室内制御部とを具備し、前記室内制御部によって、前記室内ファンモータの起動時の回転数よりも再サーモオン後の前記室内ファンモータの回転数を低くすることを特徴とする空気調和機。
【発明の詳細な説明】
【技術分野】
【０００１】
本発明は、空気調和機に関するものであり、詳しくは室内送風機の運転制御に関するものである。
【背景技術】
【０００２】
従来の空気調和機において、冷房運転中に設定温度がサンプリングされた室温より高くなると、圧縮機が運転状態から停止する期間（以下サーモオフ）へ移行する。このサーモオフ中にファンモータが回転すると、温度が高くなった室内熱交換器に付着した水滴が蒸発し、その水蒸気が冷却された風回路に触れることがあるため、再結露することがあった。その結果、カビなどが発生することがあった。
【０００３】
そこで上記課題を解決するために、サーモオフ時間中、室内温度のサンプリングのために断続的に低い回転数で室内ファンモータのオンオフを繰り返す期間を設け、圧縮機が再び運転を開始する制御が知られている（例えば、特許文献１参照）。以下、従来の空気調和機について図４を用いて説明する。図４は冷房、ドライ運転の場合を説明したものである。リモコンによって冷房、ドライ運転操作が行なわれると、ファンモータを回転制御し、冷房、ドライ運転による室温制御を実行する（ステップａ）。
【０００４】
冷房、ドライ運転中に、圧縮機の回転数が例えば１８ｒｐｓの所定値以下であるか否かを判断する（ステップｂ）。圧縮機の回転数が１８ｒｐｓより大きい場合、冷房、ドライ運転を継続し、圧縮機の回転数が１８ｒｐｓ以下になった場合、ステップｃに進み、室内熱交温度を検出し、この室内熱交温度が所定値（例えば１５度）より高いか否かを判断する。
【０００５】
室内熱交温度が１５度以下であれば、ステップｂに戻る。室内熱交温度が１５度より高くなると、ステップｃからステップｄに進み、ファンモータの現制御を停止し、間欠的運転に切替える。室内熱交温度が所定値３度以下であるか否かを判断する（ステップｅ）。室内熱交温度が３度以下になるまで、室内ファンを間欠的に回転制御するが、室内熱交温度が３度以下になった時には所定時間（例えば３分）が経過したか否かを判断する（ステップｆ）。３分が経過するまではステップｅに戻り、室内熱交温度が３度以下となり、この状態が３分間継続すると、ステップｆからステップｇに進み、ファンモータを再起動する。
【０００６】
室内ファンを再起動した後、室温調節によって圧縮機の運転周波数コード指示が所定値（例えば１８ｒｐｓ）アップか否かを判断する（ステップｈ）。圧縮機の回転数が１８ｒｐｓを越えていなければ、ステップｉに進み、室内熱交温度が所定値（例えば１５度）より高いか否かを判断する（ステップｉ）。室内熱交温度が１５度より高いときにはステップｄに戻り、室内ファンを間欠的に回転制御するが、室内熱交温度が１５度以下であればステップｈに戻り、室温調節によって圧縮機の回転数が１８ｒｐｓを越えるまで待つ。室内ファンの再起動後、室温調節によって圧縮機の回転数指示が１８ｒｐｓアップになると、ステップｈからステップｂに戻り、冷房、ドライ運転が停止あるいは変更されるまで、前記ステップを繰り返す。
【特許文献１】特開平１１−２１１２０６号公報
【発明の開示】
【発明が解決しようとする課題】
【０００７】
しかしながら上記の従来の構成では、圧縮機再起動時にファンモータが最高回転数で起動すると、サーモオフ中静かだった室内ファンモータの回転数が、再サーモオンと共に突然著しく上昇するため騒音差が激しくユーザーに対して不快感を与えてしまうという課題があった。また室内熱交換器に付着した水滴やにおい成分が外へ吹き出すことがあり、室内機近傍の水濡れや異臭という課題があった。屋室内温度が十分に冷えているときも最高回転数で運転するため、不必要な電力を消費することになり、省エネルギ的にも無駄が発生するといった課題を有していた。
【０００８】
本発明はこのような従来の課題に鑑みてなされたものであり、再サーモオン時に発生する騒音を抑えユーザーの快適性を維持することを可能とし、また室内熱交換器に付着した水やにおい成分が外へ吹き出すのを抑えると共に、消費電力を低減できる空気調和機を提供することを目的とする。
【課題を解決するための手段】
【０００９】
上記課題を解決するために本発明は、室内ファンモータと、この室内ファンモータを制御する制御部と、サーモオフ状態から再サーモオンする際の検知手段とにより室内ファンモータの回転速度を制御するものである。
【００１０】
この構成によって、再サーモオンするときファンモータ最大風量を運転開始時より低い風量に設定したことにより、室内ファンモータの回転数が増加するときに使用者が感じる騒音を抑え、使用者に不快感を与えずに済むとともに、サーモオフ前には室内熱交換器は冷却されているため、再サーモオン時には室内ファンモータ回転数を抑えても室内空気の冷却能力を維持でき、結果、消費電力を低減できる。
【発明の効果】
【００１１】
以上のように本発明によると、サーモオフ時に室内温度のサンプリングのために低い回転数で室内ファンモータを一定時間運転し、その後一定時間停止を繰り返す間欠運転した後に、再サーモオンするときファンモータ最大風量を運転開始時より低い風量に設定したことにより、室内ファンモータの回転数が増加するときに使用者が感じる騒音を抑え、使用者に不快感を与えずに済むとともに、サーモオフ前には室内熱交換器は冷却されているため、再サーモオン時には室内ファンモータ回転数を抑えても室内空気の冷却能力を維持でき、結果、消費電力を低減できる。
【発明を実施するための最良の形態】
【００１２】
以下、本発明の実施の形態について、図１から図３を参照して説明する。
【００１３】
（実施の形態１）
図１は本発明の実施の形態１における空気調和機の構成を示す冷凍サイクル図、図２は本発明の実施の形態１における空気調和機の動作を示すフロー図、図３は本発明の実施の形態１における空気調和機の信号波形図である。
【００１４】
冷媒を圧縮して吐出する圧縮機１と、冷媒と室内空気とを熱交換する室内熱交換器２と、冷媒を断熱膨張させる蒸発器３と、冷媒と室外空気とを熱交換させる室外熱交換器４で構成される。
【００１５】
この発明の空気調和機の制御方法を適用する制御装置は、室内熱交換器２で熱交換された空気を室内に送り組むためのファンを駆動する室内ファンモータ５と、室温と設定温度の差より運転タップを算出し、その結果を室外制御部７に送信し、設定風量に従ってファンモータ５の回転数制御する室内制御部６と、室内制御部６より受信した運転タップに従い、圧縮機１の回転数を制御する室外制御部７で構成される。室内制御部６は温度設定部９と温度検出部８とを有している。温度設定部９は目標とする居室内の温度を設定し、温度検出部８は居室内の温度を検出する。
【００１６】
次に、前述した空気調和機における冷房時の制御動作を、ファンモータ風量を三段階にした場合を一例として、図２のフローチャートを参照して説明する。まず、空気調和機の運転が開始し冷房運転が選択され（ステップａ）、さらに自動運転が選択されたとき（ステップｂ）、室温を早い時間で冷却するために、室内機制御部によってファンモータ１の回転数は最速のＨｉに決定される（ステップｃ）。その後、設定温度と室温により設定されるファンモータ１の回転数にて空調を行なう。
【００１７】
冷房運転中に設定温度が室温より高くなるとサーモオフに移る（ステップｄ）。サーモオフ中はファンモータ１の制御を前述の所定の回転数から、間欠運転に切り替える（ステップｅ）。この間欠運転とは、室内温度のサンプリングのために最低回転数Ｌｏで室内ファンモータを一定時間運転し、その後一定時間停止を繰り返すものである。これ間欠運転により、フィンに付着した水滴が蒸発し、その水蒸気が冷却された風回路に触れ再結露することや臭い成分の吹出しを抑えることができる。
【００１８】
その後、再サーモオン条件を満たしたとき、冷房運転を再開する（ステップｆ、ステップｇ）。この再サーモオン時にはファンモータ１の最大風量をＭｅに抑制する。これにより、再運転時に室内ファンモータの回転数が増加するときに使用者が感じる騒音の発生を抑え、使用者に不快感を与えずに屋室内の空調を行なう事ができるとともに、サーモオフ前には室内熱交換器が冷却されているため、再サーモオン時には室内ファンモータ回転数を抑えても屋室内の空気を十分冷却する能力を維持できる。その結果、消費電力を低減することができる。その後サーモオフになった後は、繰り返しファンモータ１の最大風量をＭｅに制御する。
【００１９】
上記説明は、ファンモータ回転数を三段階とした場合を例としたが、複数の風量設定があれば良く、例えばＳＨｉ、Ｈｉ、Ｍｅ、Ｌｏ、ＳＬｏのような５段階の切り替えを用いても良い。その場合は、再サーモオン時の最大風量をＨｉ以下、あるいはＭｅ以下とすることで、同様の結果を得ることができる。
【００２０】
以上のように本実施の形態によれば、サーモオフ時に室内温度のサンプリングのために低い回転数で室内ファンモータ５を一定時間運転し、その後一定時間停止を繰り返す間欠運転した後に、再サーモオンするときファンモータ最大風量を運転開始時より低い風量に室内制御部６で設定したことにより、室内ファンモータ５の回転数が増加するときに使用者が感じる騒音を抑え、使用者に不快感を与えずに済むとともに、サーモオフ前には室内熱交換器は冷却されているため、再サーモオン時には室内ファンモータ５の回転数を抑えても室内空気の冷却能力を維持でき、結果、消費電力を低減できる。
【図面の簡単な説明】
【００２１】
【図１】本発明の実施の形態１における空気調和機の構成を示す冷凍サイクル図
【図２】本発明の実施の形態１における空気調和機の動作を示すフロー図
【図３】本発明の実施の形態１における空気調和機の信号波形図
【図４】従来の空気調和機の動作を示すフロー図
【符号の説明】
【００２２】
５  室内ファンモータ
６  室内制御部
７  室外制御部
８  温度検出部
９  温度設定部
【図１】
2005055140.tif 000003
【図２】
2005055140.tif 000004
【図３】
2005055140.tif 000005
【図４】
2005055140.tif 000006